(57)【要約】【課題】  多色の現像ユニットを備えた装置における処理の高速化を図ることができる現像装置を提供する。【解決手段】  複数色分の現像ユニット６Ｙ，６Ｍ，６Ｃ，６ＢＫを備え、これらの現像ユニット６Ｙ，６Ｍ，６Ｃ，６ＢＫを回転駆動することによって感光体ドラム４との対向位置に現像ユニット６Ｙ，６Ｍ，６Ｃ，６ＢＫを順次配置し、トナー像を感光体ドラム４上に形成する現像装置であって、現像ユニット６Ｙ，６Ｍ，６Ｃ，６ＢＫのそれぞれに電源を供給し、現像ユニット６Ｙ，６Ｍ，６Ｃ，６ＢＫを所定電位に充電する高圧電源基板３０と、現像ユニット６Ｙ，６Ｍ，６Ｃ，６ＢＫを所定電位に充電するまでの充電時間を調整する高速切替回路５０とを有している。【選択図】        図６
2007057993.tif 000002
【特許請求の範囲】
【請求項１】
複数色分の現像装置を備え、該複数色分の現像装置を回転駆動することによって感光体との対向位置に前記複数色分の現像装置を順次配置し、トナー像を前記感光体上に形成する現像装置であって、
前記複数色分の現像装置のそれぞれに電源を供給し、該現像装置を所定電位に充電する電源装置と、
前記現像装置を前記所定電位に充電するまでの充電時間と、前記現像装置から前記所定電位を放電する放電時間とを調整する調整回路と、を有することを特徴とする現像装置。
【請求項２】
前記調整回路は、第１色目の前記現像装置を前記所定電位に充電するときの充電時間が、他色の前記現像装置を前記所定電位に充電するときの充電時間よりも長くなるように調整することを特徴とする請求項１記載の現像装置。
【請求項３】
前記調整回路は、所定電位に充電された最終色の前記現像装置から前記所定電位を放電するときの放電時間が、他色の前記現像装置から前記所定電位を放電するときの放電時間よりも長くなるように調整することを特徴とする請求項１または２記載の現像装置。
【請求項４】
前記調整回路は、トナー画像の濃度調整を行うプロセスコントロールのときに前記現像装置を充電させる充電時間が、前記他色の前記現像装置を前記所定電位に充電するときの充電時間よりも長くなるように調整することを特徴とする請求項２記載の現像装置。
【請求項５】
前記調整回路は、前記電源装置に電源電圧を供給するタイミングを調整する時定数回路を有し、該時定数回路の時定数を切り替えることで前記タイミング調整を行うことを特徴とする請求項１から４のいずれか１項記載の現像装置。
【請求項６】
前記電源装置は、交流電源と直流電源とを備え、
前記感光体との対向位置に前記現像装置を移動させるときに、前記交流電源をオフさせる制御信号によって前記時定数回路の時定数を切り替えて前記直流電源を制御する制御手段を有することを特徴とする請求項５記載の現像装置。
【請求項７】
前記電源装置は、直列接続した第１抵抗及び第２抵抗と、コンデンサとを有する前記時定数回路と、
前記時定数回路の出力と、前記電源装置の出力を分圧した電圧とを比較し、比較結果に応じて第１スイッチを制御する制御手段と、
前記制御手段の制御に従って、前記昇圧トランスの一次巻線側に流す電流をオン、オフさせる前記第１スイッチと、
前記第２抵抗に並列に接続したバイパス回路をオン、オフし、前記時定数回路の時定数を切り替える第２スイッチとを有することを特徴とする請求項５記載の現像装置。
【請求項８】
前記昇圧トランスの二次巻線側に、該二次巻線の出力電荷を蓄えるコンデンサを放電する電流バイパス回路を有することを特徴とする請求項７記載の現像装置。
【請求項９】
複数色分の現像装置を回転駆動しながら感光体との対向位置に順次配置するステップと、
前記対向位置にある現像装置に、前記所定電位に充電するまでの充電時間と、前記対向位置から離れる前記現像装置から前記所定電位を放電する放電時間とを調整するステップとを有することを特徴とする現像方法。
【発明の詳細な説明】
【技術分野】
【０００１】
本発明は、複写機、プリンタ、あるいはファクシミリ等の画像形成装置に搭載される現像装置に関する。より詳細には、複数色分の現像ユニットを備える現像装置に関する。
【背景技術】
【０００２】
従来、電子写真方式を採用した複写機、プリンタ、ファクシミリ等の画像形成装置は、種々のものが採用されており、実際に製品化されている。例えば、イエロ、マゼンタ、シアン、ブラックの４色分の現像ユニットを備え、感光体ドラムが１回転するごとに、感光体ドラム上にイエロ、マゼンタ、シアン、ブラック等の４色のトナー像を順次形成する、いわゆる４サイクル型の画像形成装置がある。感光体ドラム上に順次形成された４色のトナー像は、中間転写体上に多重に転写した後、中間転写体から記録用紙に一括転写することでカラー画像が形成される。
【０００３】
図１に４サイクル型画像形成装置の現像器に与える理想的な電位の推移を示す。多色の現像ユニットを回転移動させて画像を形成する４サイクル機においては、感光体と対向する位置に現像ユニットを移動させる直前（図２に示す位置Ａ）に、現像ユニットに素早く所定電位を与え、感光体との対向位置から離れた直後（図２に示す位置Ｂ）に現像ユニットの電位を０にしなければならない（例えば、特許文献１参照）。すなわち、図１に示すように、現在、感光体と対向している現像ユニットから次の現像ユニットを対向させるときには、現在対向している現像ユニットの電位を早急に引き下げ、次に対向させる現像ユニットを早急に帯電させなければならない。
【０００４】
また、ジョブの開始当初やジョブの終了後には、図１に示すように現像バイアス電位と感光体の表面電位とをゆっくりと立ち上げたり、ゆっくりと立ち下げなければならない。例えば、図３（Ａ）に示すように現像ユニットに供給する現像電位だけが急速に立ち上がった場合、現像電位と感光体の表面電位との間に電位差が生じ、現像ユニットから感光体にマイナスの電荷を持ったトナーが飛散する。また、図３（Ｂ）に示すように感光体の表面電位だけが急速に立ち上がった場合、現像電位と感光体の表面電位との間に電位差が生じ、現像ユニットから感光体にプラスの電荷を持ったキャリアが飛散する。
【０００５】
さらに、プロセスコントロールとよばれる画像品質を制御する工程では、例えば、所望の電位である−７００Ｖに一度に帯電させるのではなく、一度−３００Ｖに帯電させてから、−７００Ｖに帯電させる制御を行う。プロセスコントロールとは、最終転写体の表面にテスト用のトナーパッチを形成し、このトナーパッチを光学濃度センサで検出し、トナーパッチの位置や濃度に基いて、レジストレーション制御、トナー画像濃度制御を行う処理である。
【０００６】
【特許文献１】特公平６−４２０９９号公報
【発明の開示】
【発明が解決しようとする課題】
【０００７】
上述のように、４サイクル機において画像形成の速度をさらに高めるためには、現像ユニットを所定電位に充電させるときの充電スピードを調整できるようにしなければならない。すなわち、ジョブの開始当初、ジョブ終了時やプロセスコントロール時においては、感光体の表面電位と現像バイアス電位とを比較的ゆっくりと変化させなければならない。また、現像の途中では、現像ユニットに高速に現像バイアスを印加したり、また、現像ユニットから除電しなければならない。
【０００８】
しかながらこのような技術課題について言及している技術文献もなければ、解決手段を開示している文献も知られていない。
【０００９】
本発明は上記事情に鑑みてなされたものであり、多色の現像ユニットを備えた装置における処理の高速化を図ることができる現像装置および現像方法を提供することを目的とする。
【課題を解決するための手段】
【００１０】
かかる目的を達成するために本発明の現像装置は、複数色分の現像装置を備え、該複数色分の現像装置を回転駆動することによって感光体との対向位置に前記複数色分の現像装置を順次配置し、トナー像を前記感光体上に形成する現像装置であって、前記複数色分の現像装置のそれぞれに電源を供給し、該現像装置を所定電位に充電する電源装置と、前記現像装置を前記所定電位に充電するまでの充電時間と、前記現像装置から前記所定電位を放電する放電時間とを調整する調整回路と、を有する構成としている。従って、現像の工程に応じて、現像装置に所定電位を供給する時間を調整することができる。このため、画像形成の印刷速度を高めても画像に汚れが生じたりすることがない。
【００１１】
上記現像装置において、前記調整回路は、第１色目の前記現像装置を前記所定電位に充電するときの充電時間が、他色の前記現像装置を前記所定電位に充電するときの充電時間よりも長くなるように調整するとよい。従って、現像の工程に合わせた速度で現像装置に所定電位を供給することができる。
【００１２】
上記現像装置において、前記調整回路は、所定電位に充電された最終色の前記現像装置から前記所定電位を放電するときの放電時間が、他色の前記現像装置から前記所定電位を放電するときの放電時間よりも長くなるように調整するとよい。従って、現像の工程に合わせた速度で現像装置に所定電位を供給することができる。
【００１３】
上記現像装置において、前記調整回路は、トナー画像の濃度調整を行うプロセスコントロールのときに前記現像装置を帯電させる帯電時間が、前記他色の前記現像装置を前記所定電位に充電するときの充電時間よりも長くなるように調整するとよい。従って、プロセスコントロール時に所望の速度で現像装置に所定電位を供給することができる。
【００１４】
上記現像装置において、前記調整回路は、前記電源装置に電源電圧を供給するタイミングを調整する時定数回路を有し、該時定数回路の時定数を切り替えることで前記タイミング調整を行うとよい。従って、簡単な構成で現像ユニットを所定電位に帯電させる時間を調整することができる。
【００１５】
上記現像装置において、前記電源装置は、交流電源と直流電源とを備え、前記感光体との対向位置に前記現像装置を移動させるときに、前記交流電源をオフさせる制御信号によって前記時定数回路の時定数を切り替えて前記直流電源を制御する制御手段を有するとよい。従って、交流電源を制御する制御信号で直流電源も制御することができ、制御線の本数を減らすことができる。
【００１６】
上記現像装置において、前記電源装置は、直列接続した第１抵抗及び第２抵抗と、コンデンサとを有する前記時定数回路と、前記時定数回路の出力と、前記電源装置の出力を分圧した電圧とを比較し、比較結果に応じて第１スイッチを制御する制御手段と、前記制御手段の制御に従って、前記昇圧トランスの一次巻線側に流す電流をオン、オフさせる前記第１スイッチと、前記第２抵抗に並列に接続したバイパス回路をオン、オフし、前記時定数回路の時定数を切り替える第２スイッチとを有しているとよい。
【００１７】
上記現像装置において、前記昇圧トランスの二次巻線側に、該二次巻線の出力電荷を蓄えるコンデンサを放電する電流バイパス回路を有しているとよい。従って、コンデンサに蓄えられた電荷を放電する時間を短縮し、昇圧トランスの出力を早急に立ち下げることができる。
【００１８】
本発明の現像方法は、複数色分の現像装置を回転駆動しながら感光体との対向位置に順次配置するステップと、前記対向位置にある現像装置に、前記所定電位に充電するまでの充電時間と、前記対向位置から離れる前記現像装置から前記所定電位を放電する放電時間とを調整するステップとを有している。従って、現像の工程に応じて、現像装置に所定電位を供給する時間を調整することができる。このため、画像形成の印刷速度を高めても画像に汚れが生じたりすることがない。
【発明の効果】
【００１９】
本発明は、現像の工程に応じて、現像装置に所定電位を供給する時間、又は現像装置から所定電位を放電する時間を調整することができる。このため、画像形成の印刷速度を高めても画像に汚れが生じたりすることがない。
【発明を実施するための最良の形態】
【００２０】
添付図面を参照しながら本発明の好適な実施例を説明する。
【実施例】
【００２１】
まず、図４を参照しながら本実施例の構成を説明する。図４に、現像装置を搭載したデジタルフルカラー複写機の構成を示す。このデジタルフルカラー複写機本体１の上部には、カラー画像等を有する原稿の画像を読み取るＩＩＴ（Ｉｍａｇｅ  Ｉｎｐｕｔ  Ｔｅｒｍｉｎａｌ）２が設けられている。このＩＩＴ２によって読み取られた画像データや、図示しないパーソナルコンピュータ等から送られくる画像データは、例えば、赤（Ｒ）、緑（Ｇ）、青（Ｂ）（各８ビット）の３色の画像データとして図示しない画像処理部に送られる。この画像処理部では、画像データに対して、シェーディング補正、位置ズレ補正、明度／色空間変換、ガンマ補正、枠消し等の所定の画像処理が施される。
【００２２】
画像処理部で所定の処理が施された画像データは、イエロ（Ｙ）、マゼンタ（Ｍ）、シアン（Ｃ）、ブラック（ＢＫ）（各８ビット）の４色の画像データとしてＲＯＳ（Ｒａｓｅｒ  Ｏｕｔｐｕｔ  Ｓｃａｎｎｅｒ）３に送られる。ＲＯＳ３では、画像データに応じてレーザ光ＬＢによる画像露光が行われる。
【００２３】
上記ＲＯＳ３によってレーザ光ＬＢが走査露光される像担持体としての感光体ドラム４は、図示しない駆動手段によって矢印方向に沿って所定の速度で回転駆動されるようになっている。この感光体ドラム４の表面は、予め帯電装置５によって所定の極性（例えばマイナス極性）及び電位に帯電された後、画像データに応じてイエロ（Ｙ）、マゼンタ（Ｍ）、シアン（Ｃ）、ブラック（ＢＫ）の各色に応じたレーザ光ＬＢが、順次、走査露光されることによって静電潜像が形成される。
【００２４】
感光体ドラム４上に順次形成された静電潜像は、イエロ（Ｙ）、マゼンタ（Ｍ）、シアン（Ｃ）、ブラック（ＢＫ）の４色の現像ユニット６Ｙ，６Ｍ，６Ｃ，６ＢＫを備えたロータリー方式の現像装置６によって、例えば、感光体ドラム４の帯電極性と同極性のマイナス電極に帯電したトナーによって反転現像され、所定の色のトナー像となる。感光体ドラム４上に順次形成された各色のトナー像は、当該感光体ドラム４の下部に配置された中間転写ベルト７上に、１次転写ロール８によって互いに重ね合わせた状態で順次転写される。この中間転写ベルト７は、駆動ロール９、テンションロール１０、バックアップロール１１、従動ロール１２によって、例えば、感光体ドラム４の周速と同一の移動速度で矢印方向に沿って回動可能に支持されている。
【００２５】
中間転写ベルト７上に転写されたトナー像は、所定のタイミングで２次転写位置へと搬送される記録媒体としての記録用紙１３上に、中間転写ベルト７を支持するバックアップロール１１と、当該バックアップロール１１に圧接する２次転写ロール１４の圧接力及び静電吸引力によって転写される。記録用紙１３は、複写機本体１の下部に配置された複数の用紙カセットから、所定のサイズのものが１枚ずつ給紙される。
【００２６】
中間転写ベルト７上から所定の色のトナー像が転写された記録用紙１３は、中間転写ベルト７から分離された後、搬送ベルト２２によって定着装置２３へと搬送され、この定着装置２３の加熱ロール２４及び加圧ロール２５によって、熱及び圧力でトナー像が記録用紙１３上に定着され、本体排出ロール２６によって複写機本体１の外部に設けられた排紙トレイ２７上に排出される。
【００２７】
次に、図５を参照しながら図４に示す各部に電源を供給する高圧電源基板３０と、この高圧電源基板３０を制御する制御基板４０との構成を説明する。図５に示すように高圧電源基板３０には、１次転写ロール８に電源を供給する第１電源部３１と、２次転写ロール１４に電源を供給する第２電源部３２と、帯電装置５に電源を供給する第３電源部３３と、現像装置６に電源を供給する第４電源部３４とを備えている。第３電源部３３と第４電源部３４とはＡＣ電源とＤＣ電源とを備えている。これらの電源部３１、３２、３３、３４は、制御基板４０からのＰＷＭ（Pulse Width Modulation）信号によってオン、オフ制御される。また、第１電源部３１と第２電源部３２には、これらの出力電圧をモニタする出力電圧モニタ３５、３６がそれぞれ設けられている。制御基板４０は、出力電圧モニタ３５からモニタ信号（１ｓｔ ＢＴＲ ￥Ｖｍｏｎ）を入力する。このモニタ信号を基に図５に示す１ｓｔ ＢＴＲ ＰＷＭ信号を生成し第１電源部３１を制御する。同様に、出力電圧モニタ３６からのモニタ信号（２ｎｄ ＢＴＲ ￥ｌｍｏｎ）を入力する。このモニタ信号を基に、図５に示す２ｎｄ ＢＴＲ ＰＷＭ信号と、２ｎｄ ＢＴＲ ￥ＳＥＬ信号を生成し第２電源部３２を制御する。また制御基板４０は、第３電源部３３に対してクロック（ＢＣＲａｃ￥ＣＬＫ）と、交流電源を制御するＰＷＭ信号（ＢＣＲａｃ￥ＰＷＭ）と、直流電源を制御するＰＷＭ信号（ＢＣＲｄｃ￥ＰＷＭ）を供給し、帯電ローラ５の帯電制御を行う。また制御基板４０は、第４電源部３４に対してクロック（ＤＢＡＣ￥ＣＬＫ）と、交流電源を制御するＰＷＭ信号（ＤＢａｃ￥ＰＷＭ）と、直流電源を制御するＰＷＭ信号（ＤＢｄｃ￥ＰＷＭ）を供給し、現像装置６の帯電を制御する。
【００２８】
次に、現像装置６に電源を供給する高圧電源基板３０上の回路構成について説明する。図６にはＤＣ電源の構成だけが示され、図６に示すＨＶ出力の先にＡＣ電源が接続されている。すなわち、図６は現像装置６にＡＣとＤＣとを重畳した電圧を印加する場合を例示しており、ＡＣをオン／オフさせるための信号線を高速切替回路５０の入力端子４５として使用し、ＤＣ出力の高速／低速切り替えを実施している。もちろん、ＤＣ出力を高速／低速で切り替えるための信号線を別途設けて実施することもできる。
【００２９】
第４電源部３４は、昇圧トランス７０の一次巻線７１側に、高速切換回路５０と、フィルタ回路（調整回路）５５と、オン／オフ制御部６０とが設けられている。一次巻線７１には、商用電源から生成されたＤＣ２４Ｖの電圧が供給される。高速切換回路５０の入力端子４５には、図６に示すようにＡＣ電源を制御するＰＷＭ信号（ＡＣ−ＰＷＭ）が入力される。またフィルタ回路５５には、ＤＣ電源を制御するＰＷＭ信号（ＤＣ−ＰＷＭ）が入力される。これらのＰＷＭ信号は、図５に示す制御基板４０から出力される信号である。
【００３０】
高速切換回路５０は、直列接続された抵抗５１とコンデンサ５２との接続点に、インバータ５３が接続されている。インバータ５３の出力は、アナログスイッチ（第２スイッチ）５４をオン、オフする切替信号となる。図６に示す例では、アナログスイッチ５４を閉じ、抵抗５８をバイパスすることでＤＣ−ＰＷＭ設定電圧が高速に応答するようになり、その結果ＨＶ出力も高速に切り替わる。高速切換回路５０に入力されるＡＣ−ＰＷＭ信号は、ＡＣ電源を制御するものであって、感光体４に対向させる現像ユニット６Ｃ，６Ｍ，６Ｙ，６Ｋを切り替える時にオフとなる信号である。なお、アナログスイッチ５４には、汎用品のスイッチを用いることができる。例えば、（株）東芝製商品名ＴＣ４０６６などが利用できる。また、ＤＣ−ＰＷＭ信号は、５〜２０ｋＨｚ周期程度のパルス信号で、パルス幅Ｄｕｔｙを変えることで、２次巻線７２側の出力レベルを変えることができる。このＤＣ−ＰＷＭ信号は、パルス信号ではなく、アナログ信号を用いてもよい。
【００３１】
フィルタ回路５５は、図６に示すように抵抗Ｒ５７（第１抵抗）、５８（第２抵抗）と、コンデンサＣ５９とからなるフィルタを含む。高速切換回路５０によってアナログスイッチ５４をオン、オフさせることにより、コンデンサＣ５９と、抵抗Ｒ５７、５８とからなるフィルタ回路５５の時定数を切り替える。上述したＡＣ−ＰＷＭ信号は、切替信号の作用も備えており、感光体４に対向させる現像ユニット６Ｃ，６Ｍ，６Ｙ，６Ｋを切り替える時にＡＣ−ＰＷＭ信号がオフになるので、インバータ５３によりアナログスイッチ５４がオンされる。この結果、ＤＣ電源を制御するＤＣ−ＰＷＭ信号の立ち上がり、立ち下がりを早くして、電源出力の立ち上がり、立ち下がり（充放電）を早めることができる。
【００３２】
図７に、フィルタ回路５５の出力端であるＡ点の電位の変化を示す。図７に実線で示すＡ点の電圧の変化は、アナログスイッチ５４をオフにしている時の変化であり、図７に破線で示す電圧の変化は、アナログスイッチ５４をオンした時の変化である。図６に示すようにアナログスイッチ５４をオンすることによって９０ｋΩの抵抗５８にバイパス経路が形成されるので、フィルタ回路５５の時定数が小さくなり、図７に示すようにＡ点の電圧を急速に大きくすることができる。逆に、アナログスイッチ５４をオフすることによって、１０ｋΩの抵抗と９０ｋΩの抵抗とが直列に接続された経路だけとなる。従って、フィルタの時定数が大きくなり、図７に実線で示すようにＡ点の電位が緩やかに変化する。従って、制御部６１がオンするタイミングが遅れ、トランジスタＴｒ（第１スイッチ）６２のオンタイミングを遅らせることができる。
【００３３】
オン／オフ制御部６０は、図６に示すように制御部６１と、トランジスタＴｒ６２とを有している。制御部６１は、昇圧トランス７０の二次側に設けられた電圧検出部７６の検出電圧と、フィルタ回路５５の出力とを入力し、これらの電圧値を比較する。フィルタ回路５５の出力電圧が電圧検出部７６の出力電圧よりも高くなると、制御部６１はトランジスタＴｒ６２をオンさせる信号を出力する。トランジスタＴｒ６２がオンすることによって、昇圧トランス７０の二次巻線７２側に誘導電圧が発生する。すなわち、制御部６１は、電圧検出部７６の出力電圧が、入力信号（ＤＣ−ＰＷＭ信号）の示す目標値となるようにトランジスタＴｒ６２を制御する。
【００３４】
また昇圧トランス７０の二次巻線７２側には、整流平滑部７３、電圧検出部７６が設けられている。整流平滑部７３は、ダイオード７４およびコンデンサ７５で構成されており、ダイオード７４のアノード端子は、コンデンサ７５の一方の端子に接続されており、ダイノード７４のカソード端子は、２次巻線７２の一方の端子に接続されている。２次巻線７２のもう一方の端子とコンデンサ７５のもう一方の端子は接続され、接地されている。このように構成された整流平滑部７３では、昇圧トランス７０の２次巻線７２側に誘起された交流電圧を整流平滑して負荷へ出力する。
【００３５】
電圧検出部７６は、抵抗７７、７８で構成され、抵抗７７、７８で分圧して検出された出力電圧のモニタ値は、制御部６１に入力される。制御部６１では、電圧検出部７６でモニタされたモニタ電圧と、フィルタ回路５５の出力とを比較し、フィルタ回路５５の出力のほうがモニタ電圧よりも大きくなると、トランジスタＴｒ６２をオンさせる。
【００３６】
図８に示すフローチャートと、図９の現像ユニットの電圧変化を示す図とを参照しながら、制御基板４０がアナログスイッチ５４をオン、オフするタイミングを説明する。制御基板４０は、現像の開始と共に（ステップＳ１／ＹＥＳ）、アナログスイッチ５４をオフにする（ステップＳ２）。アナログスイッチ５４をオフにすることで、フィルタ回路５５の時定数が大きくなり、最初に現像バイアスを与えられる現像ユニットへのバイアスの供給が緩やかに行われる（図９に示すｔ１の期間）。例えば、１００ｍｓ程度で行われる。次に制御基板４０は、現像バイアスの供給開始からｔ１時間を経過すると（ステップＳ３／ＹＥＳ）、アナログスイッチ５４をオンする（ステップＳ４）。ｔ１時間を経過すると、図９に示すように最初の現像ユニットへの現像バイアスの供給が完了する。そこで、制御基板４０は、アナログスイッチ５４をオンする（ステップＳ４）。アナログスイッチ５４をオンすると、フィルタ回路５５の時定数が小さくなり、現像ユニット６Ｙ，６Ｍ，６Ｃ，６ＢＫへの現像バイアスの供給が早急に行われる。例えば、１０ｍｓ程度で行われる。また、制御基板４０は、アナログスイッチ５４をオンしてからｔ２時間を経過し（ステップＳ５）、すべての現像ユニット６Ｙ，６Ｍ，６Ｃ，６ＢＫへの現像バイアスの供給が終了すると、アナログスイッチ５４をオフする（ステップＳ６）。現像ユニットへの現像バイアスの供給が完了したので、アナログスイッチ５４をオフして最後の現像ユニットから現像バイアスを緩やかに抜く。
【００３７】
このように本実施例は、アナログスイッチ５４をオンしてフィルタ回路５５の時定数を小さくすることによって、現像ユニット６Ｙ，６Ｍ，６Ｃ，６ＢＫの電位を、早急に所定電位に高めることができる。また、アナログスイッチ５４をオフしてフィルタ回路５５の時定数を大きくすることによって、現像ユニット６Ｙ，６Ｍ，６Ｃ，６ＢＫの電位を、アナログスイッチ５４のオン時よりも緩やかに所定電位にすることができる。従って、図９に示すように、現在、感光体ドラム４と対向している現像ユニット６から次の現像ユニット６を対向させるときには、現在対向している現像ユニット６の電位を早急に引き下げ、次に対向させる現像ユニット６を早急に帯電させることができる。また、ジョブの開始当初やジョブの終了後には、図９に示すように現像バイアス電位をゆっくりと立ち上げたり、ゆっくりと立ち下げることができる。このため、感光体ドラム４を高速に回転させても、現像装置６から感光体ドラム４に不要なキャリアやトナーが飛散することがない。
【００３８】
また、第４電源部３４の出力立ち下げ時間をさらに高速化するためには、図１０に示すように昇圧トランス７０の二次巻線７２側のコンデンサ７５を放電するための電流バイパス回路８０を設けることも可能である。この電流バイパス回路８０は、図１０に示すようにコンデンサ７５に並列に設けられる。電流バイパス回路８０の構成を図１１に示す。
【００３９】
図１１（Ａ）に示す電流バイパス回路８０は、二次巻線７２の出力が正電圧である場合の構成であり、図１１（Ｂ）に示す電流バイパス回路８０は、二次巻線７２の出力電圧が負電圧である場合の構成である。図１１（Ａ）に示す電流バイパス回路８０は、第４電源部３４の出力端子７９に、抵抗Ｒ２，Ｒ３，Ｒ４，Ｒ５の直列接続と、トランジスタＴｒ１，Ｔｒ２，Ｔｒ３，Ｔｒ４の直列接続とを並列に接続している。トランジスタＴｒ１のベースには、抵抗Ｒ２と抵抗Ｒ３との接続点Ｂの電位が入力される。同じく、トランジスタＴｒ２のベースには、抵抗Ｒ３と抵抗Ｒ４の接続点Ｃの電位が入力される。トランジスタＴｒ３のベースには、抵抗Ｒ４と抵抗Ｒ５の接続点Ｄの電位が入力される。また、トランジスタＴｒ４のベースには、この電流バイパス回路８０のオン、オフを制御する制御信号ＩＮが入力される。この制御信号は、図５に示す制御基板４０の出力信号である。
【００４０】
制御信号ＩＮがローレベルのときには、トランジスタＴｒ４がオンしないので、各トランジスタＴｒ１，２，３，４には電流が流れない。逆に、制御信号ＩＮがハイレベルになると、トランジスタＴｒ４がオンし、出力端子７９側からアース側に電流を流す。従って、電流バイパス回路８０によって二次巻線７２側のコンデンサ７５を放電して、出力電圧を早急に立ち下げることができる。
【００４１】
同様に図１１（Ｂ）に示す電流バイパス回路８０は、制御信号ＩＮがハイレベルのときには、トランジスタＴｒ１０がオンしないので、各トランジスタＴｒ１０，１１，１２，１３には電流が流れない。逆に制御信号ＩＮがローレベルになると、トランジスタＴｒ１０がオンし、トランジスタＴｒ１０，１１，１２，１３に電流が流れる。従って、電流バイパス回路８０によって二次巻線７２側のコンデンサ７５を放電して、出力電圧を早急に立ち下げることができる。
【００４２】
上述した実施例は本発明の好適な実施例である。但し、これに限定されるものではなく、本発明の要旨を逸脱しない範囲内において種々変形実施可能である。
【図面の簡単な説明】
【００４３】
【図１】４サイクル型画像形成装置の現像器に与える理想的な電位の推移を示す
【図２】現像ローラに現像バイアスを供給するタイミングを説明するための図である。
【図３】従来技術の課題を説明するための図である。
【図４】画像形成装置の構成を示す図である。
【図５】高圧電源基板と制御基板の構成を示す図である。
【図６】現像装置に電源を供給する第４電源部の構成を示す図である。
【図７】トランジスタＴｒをオン時とオフ時の現像ユニットの電圧変化を示す図である。
【図８】制御基板による制御手順を示すフローチャートである。
【図９】トランジスタＴｒの切り換えタイミングを示す図である。
【図１０】電流バイパス回路を設けた第４電源部の構成を示す図である。
【図１１】電流バイパス回路の構成を示す図である。
【符号の説明】
【００４４】
１  デジタルフルカラー複写機
２  ＩＩＴ
３  ＲＯＳ
４  感光体
５  帯電器
６  現像装置
７  中間転写ベルト
８  一次転写ロール
９  駆動ロール
１０  テンションロール
１１  バックアップロール
１２  従動ロール
１３  記録紙
１４  ２次転写ロール
３０  高圧電源板
４０  制御基板
５０  高速切替回路
５５  フィルタ回路
６０  オン／オフ制御部
７０  昇圧トランス
７６  電圧検出部
８０  電流バイパス回路
【図１】
2007057993.tif 000003
【図２】
2007057993.tif 000004
【図３】
2007057993.tif 000005
【図４】
2007057993.tif 000006
【図５】
2007057993.tif 000007
【図６】
2007057993.tif 000008
【図７】
2007057993.tif 000009
【図８】
2007057993.tif 000010
【図９】
2007057993.tif 000011
【図１０】
2007057993.tif 000012
【図１１】
2007057993.tif 000013